(57)【要約】【課題】  外装材取付具を枠材に強固に固定し、外装材を安定確実に設置すること。【解決手段】  外装材取付具１０であって、枠材１０１に設けた取付面の上に配置される基板本体２０と、基板本体２０から突出し、かつ枠材１０１の取付面に沿って該枠材１０１の延在方向と直交する幅方向に対し斜交する勾配面３１を備えたネジ受け部３０とを有し、ネジ受け部３０の勾配面３１にネジ孔４０が穿設されたもの。【選択図】  図５
2016104953.tif 000002
【特許請求の範囲】
【請求項１】
下地の枠材にネジ類によって固定され、外装材が取付けられる外装材取付具であって、
枠材に設けた取付面の上に配置される基板本体と、
基板本体から突出し、かつ枠材の取付面に沿って該枠材の延在方向と直交する幅方向に対し斜交し、ネジ類の頭を受ける勾配面を備えたネジ受け部とを有し、
ネジ受け部の勾配面にネジ孔が穿設された外装材取付具。
【請求項２】
前記基板本体が取付面の上に配置された状態で、枠材の幅方向に沿う複数位置のそれぞれにネジ受け部を有し、少なくとも２つのネジ受け部は、それらの中間で枠材の延在方向に引いた直線に関し、互いに線対称をなす請求項１に記載の外装材取付具。
【請求項３】
前記基板本体に、前記ネジ受け部に設けたネジ孔とは異なる他のネジ孔が穿設された請求項１又は２に記載の外装材取付具。
【請求項４】
第１と第２の２つの外装材が枠材の幅方向で隣接するように設置された建物の外装材取付構造であって、
第１と第２の２つの外装材がそれぞれ取付けられる第１と第２の２つの外装材取付具として、請求項１〜３のいずれかに記載の外装材取付具が用いられ、
第１と第２の外装材取付具が上記枠材の幅方向に沿う中央部に対する両側に位置するように、それらの基板本体が取付面の上に配置された状態で、各外装材取付具の互いに近接するネジ受け部が該枠材の幅方向に沿う中央部に向けてそれらの基板本体から次第に離隔するように傾斜する勾配面を備え、
各外装材取付具のネジ受け部に設けたネジ孔に挿通されるネジ類が、上記枠材の幅方向の外方側から中央部の側に向けて該枠材に打ち込まれ、
第１の外装材が第１の外装材取付具に取付けられ、第２の外装材が第２の外装材取付具に取付けられてなる建物の外装材取付構造。
【発明の詳細な説明】
【技術分野】
【０００１】
本発明は外装材取付具及び建物の外装材取付構造に関する。
【背景技術】
【０００２】
従来、外壁材等の外装材を下地に取付けるとき、ビス、釘等を含むネジ類で外装材の化粧表面を傷つけることのないように、特許文献１に記載の如くの外装材取付具が用いられている。
【０００３】
従来の外装材取付具は、下地の枠材にネジ類によって固定される。そして、外装材は、その上下端に設けた係合部が外装材取付具の係合爪に係合して該外装材取付具に取付けられ、外装材の化粧表面をネジ類で傷つけることがない。
【先行技術文献】
【特許文献】
【０００４】
【特許文献１】特開平7-259594号公報
【発明の概要】
【発明が解決しようとする課題】
【０００５】
従来技術では、外装材取付具を下地の枠材に設けた取付面に固定するとき、外装材取付具におけるネジ類の打込み位置が枠材の取付面に沿って該枠材の延在方向と直交する幅方向の中央部からずれることがある。この場合、外装材取付具の基板本体に設けたネジ孔に挿通されるネジ類は、枠材の幅方向の中央部に打ち込めず、中央部から幅方向の左右にずれた位置に打ち込まざるを得ないものになる。これは、１本の枠材の幅方向の中央部を挟む左右の両側２か所に、第１と第２の２つの外装材のそれぞれを取付けるための第１と第２の左右で相隣る２つの外装材取付具を固定するときに生じ得る。また、１本の枠材の幅方向の中央部を挟む左右の両側２か所の一方に１つの外装材を取付けるための１つの外装材取付具を固定し、両側２か所の他方に外装材とは異なる他の部材を固定するときにも生じ得る。
【０００６】
このとき、従来技術では、ネジ類が枠材の幅方向の左右にずれた位置にまっすぐ（枠材の取付面に直交する方向）に打ち込むものとしており、枠材に上記ネジ類の位置ずれに基づく材破（ネジ類が枠材を割裂させること）を生じる。従って、外装材取付具を枠材に強固に固定できず、ひいては外装材の安定確実な取付けができなくなる。
【０００７】
本発明の課題は、外装材取付具を枠材に強固に固定し、外装材を安定確実に設置することにある。
【課題を解決するための手段】
【０００８】
請求項１に係る発明は、下地の枠材にネジ類によって固定され、外装材が取付けられる外装材取付具であって、枠材に設けた取付面の上に配置される基板本体と、基板本体から突出し、かつ枠材の取付面に沿って該枠材の延在方向と直交する幅方向に対し斜交し、ネジ類の頭を受ける勾配面を備えたネジ受け部とを有し、ネジ受け部の勾配面にネジ孔が穿設されたものである。
【０００９】
請求項２に係る発明は、請求項１に係る発明において更に、前記基板本体が取付面の上に配置された状態で、枠材の幅方向に沿う複数位置のそれぞれにネジ受け部を有し、少なくとも２つのネジ受け部は、それらの中間で枠材の延在方向に引いた直線に関し、互いに線対称をなすようにしたものである。
【００１０】
請求項３に係る発明は、請求項１又は２に係る発明において更に、前記基板本体に、前記ネジ受け部に設けたネジ孔とは異なる他のネジ孔が穿設されたものである。
【００１１】
請求項４に係る発明は、第１と第２の２つの外装材が枠材の幅方向で隣接するように設置された建物の外装材取付構造であって、第１と第２の２つの外装材がそれぞれ取付けられる第１と第２の２つの外装材取付具として、請求項１〜３のいずれかに記載の外装材取付具が用いられ、第１と第２の外装材取付具が上記枠材の幅方向に沿う中央部に対する両側に位置するように、それらの基板本体が取付面の上に配置された状態で、各外装材取付具の互いに近接するネジ受け部が該枠材の幅方向に沿う中央部に向けてそれらの基板本体から次第に離隔するように傾斜する勾配面を備え、各外装材取付具のネジ受け部に設けたネジ孔に挿通されるネジ類が、上記枠材の幅方向の外方側から中央部の側に向けて該枠材に打ち込まれ、第１の外装材が第１の外装材取付具に取付けられ、第２の外装材が第２の外装材取付具に取付けられてなるようにしたものである。
【発明の効果】
【００１２】
（請求項１、４）
(a)外装材取付具の基板本体が枠材に設けた取付面（下地壁等）の上に配置された正面視で、外装材取付具におけるネジ類の打込位置が枠材の取付面に沿って該枠材の延在方向と直交する幅方向の中央部から左又は右の一側寄りにずれた場合、外装材取付具のネジ受け部に設けられたネジ孔に挿通されるネジ類は、枠材の幅方向に対し斜交し、ネジ類の頭を受ける勾配面に直交する方向に指向され、枠材の幅方向の左又は右の外方側から中央部の側に向けて斜めに打ち込まれる。このとき、上記勾配面は、枠材の幅方向に沿う左又は右の一側から中央部に向けてその基板本体から次第に離隔するように斜交するものとされる。従って、ネジ類は枠材の取付面上で該枠材の幅方向に左右にずれた位置から、該枠材の幅方向の中央部の側に向けて斜めに打ち込まれ、枠材に上記ネジ類の位置ずれに基づく材破を生じさせない。従って、外装材取付具を枠材に強固に固定し、外装材を安定確実に設置できる。
【００１３】
(b)１本の枠材の幅方向の中央部を挟む左右の両側２か所に、第１と第２の２つの外装材のそれぞれを取付けるための第１と第２の左右で相隣る２つの外装材取付具を固定するときに、第１と第２の外装材取付具のそれぞれが上述(a)によって枠材に固定される。第１と第２の外装材取付具が枠材に材破を生じさせることなく強固に固定され、２つの外装材を安定確実に隣接設置できる。
【００１４】
（請求項２）
(c)外装材取付具の２つのネジ受け部が、それらの中間で枠材の延在方向に引いた直線状中心線に関し、互いに線対称をなすものとされる。即ち、２つのネジ受け部のそれぞれが備える勾配面の勾配の方向が逆向きになる。
【００１５】
即ち、外装材取付具におけるネジ類の打込位置が枠材の幅方向の中央部から左側にずれている場合に、右側のネジ受け部のネジ孔にネジ類を挿通することによって、ネジ類を枠材の幅方向の左の外方側から中央部の側に向けて該枠材に打ち込みできる。他方、外装材取付具におけるネジ類の打込位置が枠材の幅方向の中央部から右側にずれている場合に、左側のネジ受け部のネジ孔にネジ類を挿通することによって、ネジ類を枠材の幅方向の右の外方側から中央部の側に向けて該枠材に打ち込みできる。
【００１６】
従って、外装材取付具におけるネジ類の打込位置が枠材の幅方向の中央部から左又は右のいずれの側にずれている場合にも、単一の外装材取付具によって上述(a)を実現できる。
【００１７】
（請求項３）
(d)外装材取付具の基板本体に、上述(a)のネジ受け部に設けたネジ孔とは異なる他のネジ孔を設けた。従って、外装材取付具を枠材に固定するネジ類の打込位置が枠材の幅方向の中央部に位置するときには、ネジ類を上記他のネジ孔に挿通して該枠材にまっすぐ（枠材の取付面に直交する方向）に打ち込みできる。
【図面の簡単な説明】
【００１８】
【図１】図１は外装材取付具を示す正面図である。
【図２】図２は外装材取付具を示す側面図である。
【図３】図３は図１のIII−III線に沿う断面図である。
【図４】図４は外装材取付具への外装材取付構造を示す側面図である。
【図５】図５は枠材の中央部からずれた左右の両側２か所に２つの外装材取付具を打ち込み固定した状態を示す断面図である。
【図６】図６は枠材の中央部に１つの外装材取付具の中央部を打ち込み固定した状態を示す断面図である。
【図７】図７は枠材の中央部に１つの外装材取付具の中央部から右側にずれた部分を打ち込み固定した状態を示す断面図である。
【図８】図８は外装材取付具を示す正面図である。
【図９】図９は図８のIX−IX線に沿う断面図である。
【図１０】図１０は図８のX−X線に沿う断面図である。
【図１１】図１１は外装材取付具への外装材取付構造を示す側面図である。
【図１２】図１２は枠材の中央部からずれた左右の両側２か所に２つの外装材取付具を打ち込み固定した状態を示す断面図である。
【図１３】図１３は外装材取付具を示す正面図である。
【図１４】図１４は図１３のXIV−XIV線に沿う断面図である。
【図１５】図１５は図１３のXV−XV線に沿う断面図である。
【発明を実施するための形態】
【００１９】
図１〜図３に示した外装材取付具１０は、ユニット建物等の建物１００における外装材２００（上下に接合される上下の外装材２０１、２０２）のための下地の木質系枠材１０１を上下方向に延在し、外装材２００をこの枠材１０１にネジ類（本実施例ではビス１）によって固定され、外装材２００が取付けられる。本実施例では、枠材１０１の上に下地壁１０２が張り設けられ、この下地壁１０２が外装材取付具１０のための取付面とされる。
【００２０】
外装材取付具１０は、基板本体２０と、ネジ受け部３０とを有する。
【００２１】
基板本体２０は、ステンレス鋼板、メッキ鋼板等の平板材の曲げ成形体であり、枠材１０１に設けた下地壁１０２（取付面）の上に配置される基板部２１と、基板部２１の下縁から直角に起立する水平片２１Ｋの先端縁から切り起こされた上向き係合爪２２及び下向き係合爪２３と、基板部２１の下縁よりも上側の両側縁から立ち上がった左右の上支持片２４と、基板部２１の下縁よりも下側の両側縁から立ち下げられた左右の下支持片２５とを有する。基板本体２０は、基板部２１の下縁に沿う幅方向の全域に上向き係合爪２２を設け、基板部２１の下縁に沿う幅方向の中央部に下向き係合爪２３を設ける。
【００２２】
このとき、図４に示す如く、下地壁１０２の上側に取付けられる上側外装材２０１の表面側の下端には上実部２０１Ａが形成され、該上実部２０１Ａの根端裏側寄りには内実部２０１Ｂが形成されている。下地壁１０２の下側に取付けられる下側外装材２０２の裏面側の上端には下実部２０２Ａが形成されている。そして、外装材取付具１０の基板本体２０が下地壁１０２の上に配置された状態で、まず下側外装材２０２の下実部２０２Ａの先端部分が外装材取付具１０の下向き係合爪２３に係合され、次いで上側外装材２０１の内実部２０１Ｂが外装材取付具１０の上向き係合爪２２に係合される。上側外装材２０１の裏面は外装材取付具１０の上支持片２４に添接して支持され、下側外装材２０２の裏面は外装材取付具１０の下支持片２５に添接して支持される。外装材取付具１０の係合爪２２、２３に対する上下の外装材２０１、２０２の係合部は上側外装材２０１の上実部２０１Ａの下に隠される。
【００２３】
ネジ受け部３０は、基板本体２０の基板部２１における左右の上支持片２４に挟まれる部分から突出するように曲げ成形されて設けられている。そして、ネジ受け部３０は、基板本体２０が下地壁１０２の上に配置された状態で、下地壁１０２に沿って枠材１０１の延在方向（上下方向）と直交する幅方向（左右方向）に対し斜交し、ビス１の頭１Ｈを受ける勾配面３１を備える。勾配面３１と基板部２１との斜交角度は１０〜３０度が適当であり、本実施例では２０度である。そして、外装材取付具１０は、ネジ受け部３０の勾配面３１にネジ孔４０を穿設して備える。このネジ孔４０の径は、これに挿通されるビス１の外径とほぼ等しくされているため、ビス１は、必然的に勾配面３１に対してほぼ垂直に挿通する。結果として、基板部２１と面で接する下地材（取付面）１０２に対して斜めに打ち込まれることとなる。
【００２４】
更に、外装材取付具１０は、基板本体２０が下地壁１０２の上に配置された状態で、枠材１０１の幅方向に沿う複数位置、本実施例では２位置のそれぞれにネジ受け部３０（左右のネジ受け部３０Ｌ、３０Ｒ）を有する。そして、外装材取付具１０が有する２つのネジ受け部３０Ｌ、３０Ｒは、それらの中間で枠材１０１の延在方向に引いた直線状中心線Ｃ（図１、図３）に関し、互いに線対称をなすものとされている。従って、２つのネジ受け部３０Ｌ、３０Ｒのそれぞれが備える勾配面３１（左右の勾配面３１Ｌ、３１Ｒ）の勾配の方向は逆向きになる。本実施例では、基板本体２０が下地壁１０２の上に配置された状態で、左右の勾配面３１Ｌ、３１Ｒは互いに下地壁１０２の側に向けて凸のＶ字状を形成する。このとき、各ネジ受け部３０Ｌ、３０Ｒにはネジ孔４０Ｌ、４０Ｒが穿設される。
【００２５】
また、外装材取付具１０は、基板本体２０の基板部２１における左右の上支持片２４に挟まれる部分で、ネジ受け部３０が設けられた部分の側傍（本実施例では上側）に、前記のネジ受け部３０に設けたネジ孔４０とは異なるネジ孔５０を穿設して備える。本実施例では、ネジ孔５０として、外装材取付具１０の前述の中心線Ｃ上に位置する１つのネジ孔５０Ｃと、このネジ孔５０Ｃの両側に位置する左右のネジ孔５０Ｌ、５０Ｒとが設けられる。
【００２６】
以下、外装材取付具１０の適用例について説明する。
実施例１(図５)
図５に示した実施例１は、建物１００における枠材１０１の幅方向の中央部から幅方向にずれた左右の両側２か所に第１と第２の左右２つの外装材取付具１０（左右の外装材取付具１０Ｌ、１０Ｒ）を打ち込み固定し、枠材１０１の幅方向で隣接する第１と第２の左右２つの外装材２００Ｌ、２００Ｒのそれぞれをこれら２つの外装材取付具１０Ｌ、１０Ｒのそれぞれに取付け可能にしたものである。第１の外装材２００Ｌとなる上下の外装材２０１、２０２が第１の外装材取付具１０Ｌの上向き係合爪２２と下向き係合爪２３に係合して取付けられ、第２の外装材２００Ｒとなる上下の外装材２０１、２０２が第２の外装材取付具１０Ｒの上向き係合爪２２と下向き係合爪２３に係合して取付けられる。第１と第２の外装材２００Ｌ、２００Ｒの目地にはガスケット３００が装填される。
【００２７】
このとき、第１と第２の外装材取付具１０Ｌ、１０Ｒは、枠材１０１の幅方向に沿う中央部に対する両側に位置するように、それらの基板本体２０が下地壁１０２の上に配置される。そして、この配置状態で、各外装材取付具１０Ｌ、１０Ｒの互いに近接するネジ受け部３０（第１の外装材取付具１０Ｌの右のネジ受け部３０Ｒと第２の外装材取付具１０Ｒの左のネジ受け部３０Ｌ）は、枠材１０１の幅方向に沿う中央部に向けてそれらの基板本体２０から次第に離隔するように斜交する勾配面３１Ｒ、３１Ｌを備えるものになっている。
【００２８】
従って、第１の外装材取付具１０Ｌの右のネジ受け部３０Ｒに穿設されているネジ孔４０Ｒに挿通されるビス１は、その勾配面３１Ｒに直交する方向に指向され、枠材１０１の幅方向の左側の外方側から中央部の側に向けて斜めに打ち込まれる。また、第２の外装材取付具１０Ｒの左のネジ受け部３０Ｌに穿設されているネジ孔４０Ｌに挿通されるビス１は、その勾配面３１Ｌに直交する方向に指向され、枠材１０１の幅方向の右側の外方側から中央部の側に向けて斜めに打ち込まれる。
【００２９】
本実施例によれば、以下の作用効果を奏する。
(a)外装材取付具１０の基板本体２０が枠材１０１に設けた取付面（下地壁１０２等）の上に配置された正面視で、外装材取付具１０におけるビス１の打込位置が枠材１０１の取付面に沿って該枠材１０１の延在方向と直交する幅方向の中央部から左又は右の一側寄りにずれた場合、外装材取付具１０のネジ受け部３０に設けられたネジ孔４０に挿通されるビス１は、枠材１０１の幅方向に対し斜交する勾配面３１に直交する方向に指向され、枠材１０１の幅方向の左又は右の外方側から中央部の側に向けて斜めに打ち込まれる。このとき、上記勾配面３１は、枠材１０１の幅方向に沿う左又は右の一側から中央部に向けてその基板本体２０から次第に離隔するように斜交するものとされる。従って、ビス１は枠材１０１の取付面上で該枠材１０１の幅方向に左右にずれた位置から、該枠材１０１の幅方向の中央部の側に向けて斜めに打ち込まれ、枠材１０１に上記ビス１の位置ずれに基づく材破を生じさせない。従って、外装材取付具１０を枠材１０１に強固に固定し、外装材を安定確実に設置できる。
【００３０】
(b)１本の枠材１０１の幅方向の中央部を挟む左右の両側２か所に、第１と第２の２つの外装材２００Ｌ、２００Ｒのそれぞれを取付けるための第１と第２の左右で相隣る２つの外装材取付具１０Ｌ、１０Ｒを固定するときに、第１と第２の外装材取付具１０Ｌ、１０Ｒのそれぞれが上述(a)によって枠材１０１に固定される。第１と第２の外装材取付具１０Ｌ、１０Ｒが枠材１０１に材破を生じさせることなく強固に固定され、２つの外装材２００Ｌ、２００Ｒを安定確実に隣接設置できる。
【００３１】
(c)外装材取付具１０の２つのネジ受け部３０Ｌ、３０Ｒが、それらの中間で枠材１０１の延在方向に引いた直線状中心線Ｃに関し、互いに線対称をなすものとされる。即ち、２つのネジ受け部３０Ｌ、３０Ｒのそれぞれが備える勾配面３１Ｌ、３１Ｒの勾配の方向が逆向きになる。
【００３２】
即ち、外装材取付具１０におけるビス１の打込位置が枠材１０１の幅方向の中央部から左側にずれている場合に、右側のネジ受け部３０Ｒのネジ孔４０Ｒにビス１を挿通することによって、ビス１を枠材１０１の幅方向の左の外方側から中央部の側に向けて該枠材１０１に打ち込みできる。他方、外装材取付具１０におけるビス１の打込位置が枠材１０１の幅方向の中央部から右側にずれている場合に、左側のネジ受け部３０Ｌのネジ孔４０Ｌにビス１を挿通することによって、ビス１を枠材１０１の幅方向の右の外方側から中央部の側に向けて該枠材１０１に打ち込みできる。
【００３３】
従って、外装材取付具１０におけるビス１の打込位置が枠材１０１の幅方向の中央部から左又は右のいずれの側にずれている場合にも、単一の外装材取付具１０によって上述(a)を実現できる。
【００３４】
（実施例２）（図６）
図６に示した実施例２は、建物１００における枠材１０１の幅方向の中央部に１つの外装材取付具１０の中央部（前述の中心線Ｃ）を打ち込み固定し、１つの外装材２００の中間部をこの外装材取付具１０に取付け可能にしたものである。外装材２００としての上下の外装材２０１、２０２が外装材取付具１０の上向き係合爪２２と下向き係合爪２３に係合して取付けられる。
【００３５】
このとき、外装材取付具１０の基板本体２０は、枠材１０１の幅方向に沿う中央部に位置するように下地壁１０２の上に配置され、外装材取付具１０の前述の中心線Ｃ上に設けたネジ孔５０Ｃに挿通されるビス１が枠材１０１の幅方向の中央部にまっすぐ（枠材１０１の取付面（下地壁１０２）に直交する方向）に打ち込まれる。
【００３６】
（実施例３）（図７）
図７に示した実施例３は、建物１００における枠材１０１の幅方向の中央部に１つの外装材取付具１０の中央部（前述の中心線Ｃ）から右側にずれた部分を打ち込み固定し、１つの外装材２００の左端部をこの外装材取付具１０に取付け可能にしたものである。外装材取付具１０の右側にずれた部分を枠材１０１の幅方向の中央部に打ち込み固定したことにより、外装材取付具１０を枠材１０１の幅方向の中央部から左側にずらして配置できるものとした。これにより、外装材２００としての上下の外装材２０１、２０２がそれらの左端部の際まで、外装材取付具１０の上向き係合爪２２と下向き係合爪２３に係合して取付けられる。
【００３７】
このとき、外装材取付具１０の基板本体２０は、枠材１０１の幅方向に沿う中央部より左側にずれるように下地壁１０２の上に、外装材取付具１０の前述の中心線Ｃの右側に設けたネジ孔５０Ｒに挿通されるビス１が枠材１０１の幅方向の中央部にまっすぐに打ち込まれる。
【００３８】
尚、図７において、建物１００のコーナー部の下地壁１０２上に配置されている外装材取付具１０は、該外装材取付具１０の前述の中心線Ｃ上に設けたネジ孔５０Ｃに挿通されるビス１により、建物１００の該コーナー部に設けた広幅の枠材１０３の幅方向の中央部に実施例２におけると同様にしてまっすぐに打ち込み固定されたものである。
【００３９】
（実施例４）（図８〜図１２）
図８〜図１０に示した外装材取付具１１０が図１〜図３に示した外装材取付具１０と基本的に異なる点は、外装材取付具１１０がビス１を枠材１０１に対して斜め打ちするためのネジ受け部１３０（ネジ孔１４０）のみを設け、ビス１を枠材１０１に対してまっすぐに打ち込むためにネジ孔５０を設けていないことにある。
即ち、外装材取付具１１０は、基板本体１２０と、ネジ受け部１３０とを有する。
【００４０】
基板本体１２０は、ステンレス鋼板、メッキ鋼板等の平板材の曲げ成形体であり、建物１００における枠材１０１に設けた下地壁１０２（取付面）の上に配置される基板部１２１と、基板部１２１の下縁から直角に起立する水平片１２１Ｋの先端縁から切り起こされた上向き係合爪１２２及び下向き係合爪１２３と、基板部１２１の下縁よりも上側の両側縁から立ち上がった左右の上支持片１２４と、基板部１２１の下縁よりも下側の両側縁から立ち下げられた左右の下支持片１２５とを有する。基板本体１２０は、基板部１２１の下縁に沿う幅方向の全域に上向き係合爪１２２を設け、基板部１２１の下縁に沿う幅方向の左右２位置のそれぞれに下向き係合爪１２３を設ける。
【００４１】
尚、基板本体１２０において、基板部１２１の下縁よりも上側の両側縁のそれぞれにおいて立ち上がる各上支持片１２４は、基板部１２１の上述の上側の側縁の全域から直角に起立する起立部１２４Ａと、起立部１２４Ａの先端縁の上下２位置から内方へ直角に折り曲げられて基板部１２１に平行配置される２つの支持部１２４Ｂとを備える。尚、基板部１２１と上支持片１２４の起立部１２４Ａとの交差角部の例えば上下方向に沿う２位置には、基板部１２１に対する上支持片１２４の起立剛性を向上するために、該角部を内周側に向けて陥没させた補強リブ１２４Ｒが設けられている。
【００４２】
また、基板本体１２０において、基板部１２１の下縁よりも下側の両側縁のそれぞれにおいて立ち下がる各下支持片１２５は、基板部１２１の上述の下側の側縁の全域から直角に起立する起立部１２５Ａと、起立部１２５Ａの先端縁の全域から内方へ直角に折り曲げられて基板部１２１に平行配置される１つの支持部１２５Ｂとを備える。
【００４３】
このとき、図１１に示す如く、下地壁１０２の上側に取付けられる上側外装材２０１の表面側の下端には上実部２０１Ａが形成され、該上実部２０１Ａの根端裏側寄りには内実部２０１Ｂが形成されている。下地壁１０２の下側に取付けられる下側外装材２０２の裏面側の上端には下実部２０２Ａが形成されている。そして、外装材取付具１１０の基板本体１２０が下地壁１０２の上に配置された状態で、まず下側外装材２０２の下実部２０２Ａの先端部分が外装材取付具１１０の下向き係合爪１２３に係合され、次いで上側外装材２０１の内実部２０１Ｂが外装材取付具１１０の上向き係合爪１２２に係合される。上側外装材２０１の裏面は外装材取付具１１０の上支持片１２４の支持部１２４Ｂに添接して支持され、下側外装材２０２の裏面は外装材取付具１１０の下支持片１２５の支持部１２５Ｂに添接して支持される。外装材取付具１１０の係合爪１２２、１２３に対する上下の外装材２０１、２０２の係合部は上側外装材２０１の上実部２０１Ａの下に隠される。
【００４４】
ネジ受け部１３０は、基板本体１２０の基板部１２１における左右の上支持片１２４に挟まれる部分から突出するように曲げ成形されて設けられている。そして、ネジ受け部１３０は、基板本体１２０が下地壁１０２の上に配置された状態で、下地壁１０２に沿って枠材１０１の延在方向（上下方向）と直交する幅方向（左右方向）に対し斜交し、ビス１の頭１Ｈを受ける勾配面１３１を備える。勾配面１３１と基板部１２１との斜交角度は１０〜３０度が適当であり、本実施例では２０度である。そして、外装材取付具１１０は、ネジ受け部１３０の勾配面１３１にネジ孔１４０を穿設して備える。このネジ孔１４０の径は、これに挿通されるビス１の外径とほぼ等しくされているため、ビス１は、必然的に勾配面１３１に対してほぼ垂直に挿通する。結果として、基板部１２１と面で接する下地材（取付面）１０２に対して斜めに打ち込まれることとなる。
【００４５】
更に、外装材取付具１１０は、基板本体１２０が下地壁１０２の上に配置された状態で、枠材１０１の幅方向に沿う複数位置、本実施例では２位置のそれぞれにネジ受け部１３０（左右のネジ受け部１３０Ｌ、１３０Ｒ）を有する。そして、外装材取付具１１０が有する２つのネジ受け部１３０Ｌ、１３０Ｒは、それらの中間で枠材１０１の延在方向に引いた直線状中心線Ｃ（図８、図１０）に関し、互いに線対称をなすものとされている。従って、２つのネジ受け部１３０Ｌ、１３０Ｒのそれぞれが備える勾配面１３１（左右の勾配面１３１Ｌ、１３１Ｒ）の勾配の方向は逆向きになる。本実施例では、基板本体１２０が下地壁１０２の上に配置された状態で、左右の勾配面１３１Ｌ、１３１Ｒは互いに下地壁１０２の側に向けて凸のＶ字状を形成する。このとき、各ネジ受け部１３０Ｌ、１３０Ｒにはネジ孔１４０Ｌ、１４０Ｒが穿設される。
【００４６】
従って、本実施例においても、実施例１におけると同様にして、図１２に示す如く、建物１００における枠材１０１の幅方向の中央部から幅方向にずれた左右の両側２か所に第１と第２の左右２つの外装材取付具１１０（左右の外装材取付具１１０Ｌ、１１０Ｒ）を打ち込み固定し、枠材１０１の幅方向で隣接する第１と第２の左右２つの外装材２００Ｌ、２００Ｒのそれぞれをこれら２つの外装材取付具１１０Ｌ、１１０Ｒのそれぞれに取付けできる。第１の外装材２００Ｌとなる上下の外装材２０１、２０２が第１の外装材取付具１１０Ｌの上向き係合爪１２２と下向き係合爪１２３に係合して取付けられ、第２の外装材２００Ｒとなる上下の外装材２０１、２０２が第２の外装材取付具１１０Ｒの上向き係合爪１２２と下向き係合爪１２３に係合して取付けられる。
【００４７】
このとき、第１の外装材取付具１１０Ｌの右のネジ受け部１３０Ｒに穿設されているネジ孔１４０Ｒに挿通されるビス１は、その勾配面１３１Ｒに直交する方向に指向され、枠材１０１の幅方向の左側の外方側から中央部の側に向けて斜めに打ち込まれる。また、第２の外装材取付具１１０Ｒの左のネジ受け部１３０Ｌに穿設されているネジ孔１４０Ｌに挿通されるビス１は、その勾配面１３１Ｌに直交する方向に指向され、枠材１０１の幅方向の右側の外方側から中央部の側に向けて斜めに打ち込まれる。
【００４８】
従って、本実施例によっても、実施例１におけると同様の作用効果を奏するものになる。
【００４９】
（参考例１）（図１３〜図１５）
図１３〜図１５に示した外装材取付具２１０が図８〜図１０に示した外装材取付具１１０と基本的に異なる点は、外装材取付具２１０がビス１を枠材１０１に対してまっすぐに打ち込むためのネジ孔２５０のみを設け、ビス１を枠材１０１に対して斜め打ちするためのネジ受け部１３０（ネジ孔１４０）を設けていないことにある。
【００５０】
即ち、外装材取付具２１０は、外装材取付具１１０における基板本体１２０の基板部１２１（水平片１２１Ｋ）、上向き係合件爪１２２、下向き係合爪１２３、上支持片１２４（起立部１２４Ａ、支持部１２４Ｂ、補強リブ１２４Ｒ）、下支持片１２５（起立部１２５Ａ、支持部１２５Ｂ）と実質的に同様の、基板本体２２０の基板部２２１（水平片２２１Ｋ）、上向き係合爪２２２、下向き係合爪２２３、上支持片２２４（起立部２２４Ａ、支持部２２４Ｂ、補強リブ２２４Ｒ）、下支持片２２５（起立部２２５Ａ、支持部２２５Ｂ）を有する。尚、外装材取付具２１０にあっては、上支持片２２４の支持部２２４Ｂを、起立部２２４Ａの先端縁の全域から折り曲げて単一化している（但し、複数の支持部２２４Ｂを備えても良い）。また、補強リブ２２４Ｒを、基板部２２１と上支持片２２４の起立部２２４Ａとの交差角部の上下方向に沿う中央単一位置にだけ設けている（但し、補強リブ２２４Ｒを複数位置に設けても良い）。
【００５１】
しかるに、外装材取付部２１０は、基板本体２２０の基板部２２１における左右の上支持片２２４に挟まれる部分に、ネジ孔２５０を穿設して備える。本実施例では、ネジ孔２５０として、外装材取付具２１０の前述の中心線Ｃ上に位置する１つのネジ孔２５０Ｃと、このネジ孔２５０Ｃの両側に位置する左右のネジ孔２５０Ｌ、２５０Ｒとが設けられる。
【００５２】
尚、外装材取付具２１０にあっては、基板本体２２０の基板部２２１に設けられる各ネジ孔２５０（２５０Ｃ、２５０Ｌ、２５０Ｒ）の周囲に補強ビード２６０を設けている。補強ビード２６０は、基板部２２１における各ネジ孔２５０の周囲を、基板部２２１の裏面側（下地壁１０２に接する面を裏面を言う）から表面側に向けて盛り上がる盛り上がり状に変形させたものである。外装材取付具２１０のネジ孔２５０に挿通したビス１を基板部２２１の表面側から枠材１０１の側に打ち込むとき、基板部２２１がネジ孔２５０の周囲で折れ曲がるのを防止するため、このネジ孔２５０の周囲の剛性を上げたものである。図１３の正面視で、補強ビード２６０がネジ孔２５０の下方に偏っているのは、相隣る補強ビード２６０同士の干渉を回避するためである。
【００５３】
従って、外装材取付具２１０によれば、該外装材取付具２１０を枠材１０１に固定するネジ類の打込み位置が枠材１０１の幅方向の中央部に位置するとき、ネジ類を上記ネジ孔２５０に挿通して該枠材１０１にまっすぐに打ち込みできる。
【００５４】
以上、本発明の実施例を図面により詳述したが、本発明の具体的な構成はこの実施例に限られるものではなく、本発明の要旨を逸脱しない範囲の設計の変更等があっても本発明に含まれる。例えば、１本の枠材の幅方向の中央部を挟む左右の両側２か所の一方に１つの外装材を取付けるための１つの外装材取付具を固定し、両側２か所の他方に上記外装材とは異なる他の部材を固定するときにも、上記１つの外装材取付具として本発明の外装材取付具を適用できる。即ち、この１つの外装材取付具は、ネジ類の打込位置が枠材の取付面に沿って該枠材の延在方向と直交する幅方向の中央部から左又は右の一側寄りにずれるにもかかわらず、この外装材取付具のネジ受け部に設けられたネジ孔に挿通されるネジ類を枠材の幅方向に対し斜交する勾配面に直交する方向に指向され、枠材の幅方向の左又は右の外方側から中央部の側に向けて斜めに打ち込みできる。これにより、枠材に上記ネジ類の位置ずれに基づく材破を生じさせないものになる。
【００５５】
また、本発明が適用された外装材取付具において、外装材を保持する外装材保持手段は、上向き係合爪２２及び下向き係合爪２３等に限らず、いかなる形態からなるものでも良い。
【００５６】
また、本発明の外装材取付具は、板材の曲げ成形体からなるものに限らず、金属又は樹脂等のモールド品からなるものでも良い。
【産業上の利用可能性】
【００５７】
本発明によれば、外装材取付具を枠材に強固に固定し、外装材を安定確実に設置することができる。
【符号の説明】
【００５８】
１  ビス（ネジ類）
１０、１０Ｌ、１０Ｒ、１１０、１１０Ｌ、１１０Ｒ、２１０  外装材取付具
２０、１２０、２２０  基板本体
３０、３０Ｌ、３０Ｒ、１３０、１３０Ｌ、１３０Ｒ  ネジ受け部
３１、３１Ｌ、３１Ｒ、１３１、１３１Ｌ、１３１Ｒ  勾配面
４０、４０Ｌ、４０Ｒ、１４０、１４０Ｌ、１４０Ｒ  ネジ孔
５０、５０Ｃ、５０Ｒ、２５０、２５０Ｌ、２５０Ｒ  ネジ孔
１００  建物
１０１  枠材
１０２  下地壁（取付面）
２００、２００Ｌ、２００Ｒ  外装材
２０１  上の外装材
２０２  下の外装材
【図１】
2016104953.tif 000003
【図２】
2016104953.tif 000004
【図３】
2016104953.tif 000005
【図４】
2016104953.tif 000006
【図５】
2016104953.tif 000007
【図６】
2016104953.tif 000008
【図７】
2016104953.tif 000009
【図８】
2016104953.tif 000010
【図９】
2016104953.tif 000011
【図１０】
2016104953.tif 000012
【図１１】
2016104953.tif 000013
【図１２】
2016104953.tif 000014
【図１３】
2016104953.tif 000015
【図１４】
2016104953.tif 000016
【図１５】
2016104953.tif 000017